(57)【要約】    【課題】この発明は、パック商品を陳列する商品陳列ガイドレールの数を簡単に増大あるいは減少させることができるパック自動販売機の商品陳列装置を提供する。      【解決手段】この発明のパック自動販売機の商品陳列装置１は、コラム５を、パック商品４を陳列するためのガイドレール部材２０からなる複数の陳列部１０を円筒状に結合することで構成するようにした。    【選択図】  図７
2006113666.tif 000002
【特許請求の範囲】
【請求項１】
円筒状に回転自在に配置され、周面にパック商品を係合させて陳列する商品陳列ガイドレールが形成されたコラムを有するパック自動販売機の商品陳列装置において、
前記コラムは、パック商品を陳列するためのガイドレール部材からなる複数の陳列部を円筒状に結合することで構成するようにしたことを特徴とするパック自動販売機の商品陳列装置。
【請求項２】
円筒状に回転自在に配置され、周面にパック商品を係合させて陳列する商品陳列ガイドレールが形成されたコラムを有するパック自動販売機の商品陳列装置において、
前記コラムは、パック商品を陳列するためのガイドレール部材と、前記ガイドレール部材を装着可能なパック陳列部から構成され、前記ガイドレール部材を前記パック陳列部に装着するとともに、複数のパック陳列部を円筒状に結合することで構成するようにしたことを特徴とするパック自動販売機の商品陳列装置。
【請求項３】
前記パック陳列部の周面は多角形状に形成され、その各平面部には前記ガイドレール部材を嵌装するフックが突出形成され、また前記ガイドレール部材は表面に前記商品陳列ガイドレールが形成され、背面には前記フックと係合するガイド溝が形成されていることを特徴とする請求項１又は２に記載のパック自動販売機の商品陳列装置。
【発明の詳細な説明】
【技術分野】
【０００１】
この発明は、パック（袋体）内に商品を収容し、その商品を収容したパックを陳列して販売するパック自動販売機に関し、特にパック商品を陳列する商品陳列装置の改良に関する。
【背景技術】
【０００２】
従来、例えば特開２００４−７８７７７号公報には、周面に複数本の商品陳列用案内レールを形成した回転自在な円筒状ドラムユニット（コラム）からなる商品陳列装置を使用し、その商品陳列装置に陳列されたパック商品を顧客が引き抜くことにより商品を販売するようにしたパック自動販売機が開示されている。
【０００３】
このパック自動販売機で商品を購入する際は、目的の商品を選択すべく商品陳列装置の円筒状ドラムユニット（コラム）を回転させ、これにより目的の商品が収容された商品陳列案内レールを商品取り出し口に合致させる。
【０００４】
その後、その商品陳列案内レールの最上段から目的のパック商品を商品取り出し口から引き抜くことによりパック商品を販売するようにしている。
【０００５】
ところで、上述した従来のパック自動販売機の商品陳列装置を構成するコラム５０は図７およびその断面図で示す図８のように、押出成形により一体形成された筒体５１により構成されている。またその筒体５１の周面にはパック商品を係止させる複数本の商品陳列ガイドレール５２が形成されている。
【特許文献１】特開２００４−７８７７７号
【発明の開示】
【発明が解決しようとする課題】
【０００６】
ところで、上述した従来のパック自動販売機の商品陳列装置を構成するコラム５０は、図７及びその断面図で示す図８のように、押出成形により一体形成された筒体５１により構成されているため、例えばパック商品の陳列商品点数を増大、あるいは減少させるべく商品陳列ガイドレール５２の数を増やし、あるいは減少させたコラム５０を製作する場合は、新たに商品陳列ガイドレール５２の数を増大、あるいは減少させた金型を製造しなければならず、そのためコラム５０の製造コストが高くなる難点がある。
【０００７】
この発明は上述した事情に鑑み、パック商品を陳列する商品陳列ガイドレールの数を簡単に増大あるいは減少させることができるとともに、パック商品のサイズに応じてガイドレールのみを交換することにより対応することが可能なパック自動販売機の商品陳列装置を提供することを目的とする。
【課題を解決するための手段】
【０００８】
上述した課題を解決するため、請求項１に記載された発明では、円筒状に回転自在に配置され、周面にパック商品を係合させて陳列する商品陳列ガイドレールが形成されたコラムを有するパック自動販売機の商品陳列装置において、前記コラムは、パック商品を陳列するためのガイドレール部材からなる複数の陳列部を円筒状に結合することで構成するようにしている。
【０００９】
また請求項２に記載された発明では、円筒状に回転自在に配置され、周面にパック商品を係合させて陳列する商品陳列ガイドレールが形成されたコラムを有するパック自動販売機の商品陳列装置において、前記コラムは、パック商品を陳列するためのガイドレール部材と、前記ガイドレール部材を装着可能なパック陳列部から構成され、前記ガイドレール部材を前記パック陳列部に装着するとともに、複数のパック陳列部を円筒状に結合するようにしている。
【発明の効果】
【００１０】
上述した本願発明のパック自動販売機の商品陳列装置によると、コラムを、複数のガイドレール部材からなる複数のパック陳列部を円筒状に結合させて構成したため、コラムの径を増大させてガイドレールの数を増大させる場合は、パック陳列部の数を増大させてガイドレール部材の数を増大させればよく、またコラムの径を減少させてガイドレールの数を減少させる場合は、パック陳列部の数を減少させてガイドレール部材の数を減少させればればよく、このためパック陳列部の数を増減させる簡単な製造変更でパック商品を陳列する商品陳列ガイドレールの数を簡単に増大あるいは減少させて各種のパック商品を販売するパック自動販売機の商品陳列装置を安価に提供することができる。
【００１１】
また、パック商品のサイズに対応してガイドレールの大きさを変更する場合も、ガイドレール部材のみを交換するだけで対応することができる。  
【発明を実施するための最良の形態】
【００１２】
以下、この発明に係るパック自動販売機の商品陳列装置の一実施例を詳述する。
【００１３】
図１はこの発明に係る商品陳列装置１を使用したパック自動販売機２の概念斜視図である。
【００１４】
このパック自動販売機２は、円筒状に回転自在に配置され、周面に配設された複数本の商品陳列ガイドレール３内にそれぞれ複数個のパック商品４を積載係止させて陳列することができるコラム５と、このコラム５内に積載係止された前記パック商品４を１個づつ引き抜いて取り出すことができる開閉自在なゲート手段６から構成されている。なお、上述した円筒状のコラム５は円形のベース台７上に常時は回転自在に支承されている。なお、上述したゲート手段６は上部カバー８により覆われている。
【００１５】
一方、上述した商品陳列装置１の主要構成要素である円筒状のコラム５は以下のような構造となっている。
【００１６】
この円筒状のコラム５は、図２で示すように、周面が多角形状に形成された板金からなる略円弧形状のパック陳列部１０からなり、このパック陳列部１０をネジ１１等の締結手段１２を介して複数枚（実施例では４枚）結合させ、これにより全体が円筒状に形成された筒体１３から構成されている。
【００１７】
このパック陳列部１０の各周面は前述したように多角形状に形成され、その各平面部１０ａには後述するガイドレール部材を嵌装係止させるための断面Ｌ字形状のフック１０ｂが複数個突出形成されている。
【００１８】
この、コラム５を製作するには、図３で示すように、ネジ１１により各パック陳列部１０を締結して形成された筒体１３の上下面を、中心に軸受孔１４が形成された蓋体１５で覆い、その後、各パック陳列部１０の各平面部１０ａに沿って断面略Ｔ字形状の商品陳列ガイドレール３が形成された同一仕様のガイドレール部材２０を矢印Ａのように嵌装させて装着する。
【００１９】
なお、この各ガイドレール部材２０を前記パック陳列部１０に装着するには、当該ガイドレール部材２０の背面に形成された、一対のガイド溝２０ａ，２０ｂを対応するフック１０ｂに嵌挿させて係止させる。
【００２０】
このように、筒体１３の全周面に亘って複数本のガイドレール部材２０を嵌挿させた後、図４で示すように、筒体１３をベース台７上に回転自在に支承させ、さらにその後、図５で示すように、コラム５を構成する筒体１３の上面にコラムキャップ３０を嵌着させて商品陳列装置１を完成させる。
【００２１】
その後、このコラムキャップ３０上に図１で示すゲート手段６を配設した後、上部カバー８を被せるとパック自動販売機２が完成する。
【００２２】
従って、上述した商品陳列装置１によると、コラム５の径を増大させて、その周面に装着される商品陳列ガイドレール３の数を増大させる場合は、筒体１３を構成するパック陳列部１０（図２）の数を増大させて筒体３の径を増大させればよく、またコラム５の径を減少させてその周面に装着される商品陳列ガイドレール３の数を減少させる場合は、筒体１３を構成するパック陳列部１０の数を減少させて筒体１３の径を減少させればよく、このためパック陳列部１０（図２）の数を増減させる簡単な製造変更でパック商品４を陳列する商品陳列ガイドレール３の数を簡単に増大あるいは減少させることができることとなる。
【００２３】
なお、上記実施例では、ネジ１１により複数枚の各パック陳列部１０を締結して筒体１３を構成するようにしたが、この発明は上記実施例に限定されることなく、溶接、あるいはリベツト止めにより締結するようにしても良い。
【００２４】
また上記実施例では、ガイドレール部材２０に形成された商品陳列ガイドレール３の形状を断面略Ｔ字形状に形成したが、この発明は上記実施例に限定されることなく、パック商品４を係止させる係止部材４ａ（図１）の形状に応じて各種の形状が考えられることは言うまでもない。
【００２５】
また、上記筒体１３は実施例のように４枚の板金からなるパック陳列部１０から構成されるものに限定されることなく、さらに多角形状でなくて、図６で示すように、コラム５を、ガイドレール部材２０とパック陳列部１０とが一体形成されてなる単品６０とし、これを複数個用いて構成することも勿論可能である。
【産業上の利用可能性】
【００２６】
以上説明したように、この発明の商品陳列装置は、パック商品を陳列する商品陳列案内レールの数を簡単に増減することのできるパック自動販売機に適している。    
【図面の簡単な説明】
【００２７】
【図１】図１はこの発明に係るパック自動販売機の概念斜視図。
【図２】図２はこの発明に係る商品陳列装置の分解組立て斜視図。
【図３】図３はこの発明に係る商品陳列装置の組立て分解斜視図。
【図４】図４はこの発明に係る商品陳列装置の概念斜視図。
【図５】図５はこの発明に係る商品陳列装置の完成した状態を示す概念斜視図。
【図６】図６は他の実施例を示す概念斜視図。
【図７】図７は従来の商品陳列装置であるコラムの斜視図。
【図８】図８は図７の断面図。
【符号の説明】
【００２８】
１…商品陳列装置
２…パック自動販売機
３…商品陳列ガイドレール
４…パック商品
５…コラム
１０…パック陳列部
１０ａ…平面部
１０ｂ…フック
１３…筒体
２０…ガイドレール部材
２０ａ，２０ｂ…ガイド溝
【図１】
2006113666.tif 000003
【図２】
2006113666.tif 000004
【図３】
2006113666.tif 000005
【図４】
2006113666.tif 000006
【図５】
2006113666.tif 000007
【図６】
2006113666.tif 000008
【図７】
2006113666.tif 000009
【図８】
2006113666.tif 000010